(57)【要約】【課題】  足底部、側辺部及び踵部を一枚裁断生地で形成することにより、足底部に縫目が無く、且つ踵部被覆用生地に緊締部を設けて脱げに難くして着用時の不快感をなくし、優れた着用感が得られるようにしたソックスカバーに関する。【解決手段】足底部や側辺部などを一枚裁断生地で形成して、足底部の縫目解消を図り、且つ踵部被覆用生地に緊締部を設けて脱げ難くして着用時の不快感をなくすと共に、足部の収まり感を良好にし、優れた着用感が得られるようにしたものである。【選択図】図１
2008297652.tif 000002
【特許請求の範囲】
【請求項１】
爪先部、足底部、側辺部及び踵部を有するソックスカバーにおいて、足底部、側辺部及び踵部を一枚裁断生地で形成し、且つ爪先被覆用生地を爪先側足底部に重合、縫着して爪先部を形成し、更に踵部被覆用生地に緊締部を設けて構成したことを特徴とするソックスカバー。
【請求項２】
伸縮性細幅生地を踵部被覆用生地に設けて緊締部を形成したことを特徴とする請求項１に記載のソックスカバー。
【発明の詳細な説明】
【技術分野】
【０００１】
本発明は、足底部、側辺部及び踵部を一枚裁断生地で形成したことにより、足底部に縫目が無く、且つ踵部被覆用生地に緊締部を設けて脱げ難くしたことにより着用時の不快感がなくなると共に足部の収まり感が良くなり、優れた着用感が得られるようにしたソックスカバーに関する。
【背景技術】
【０００２】
従来、ソックスカバーの足底部や爪先側の足底部に縫着部の設けられたものがみられるが、足底部に縫着部が設けられている場合は、歩行時或いは走行時に凸状の縫着部が足裏側に不快感を与え、着用感を低下させる欠点があった。また爪先部側において足底部を形成する立壁状の両側辺部に甲部被覆用生地を縫着したものがみられるが、立壁状の足底部と甲部被覆用生地との間における空間（隙間）が空き過ぎる恐れがあり、ソックスカバーと爪先や甲部との密着度が甘くなって脱げ易くなり、着用感を低下させる欠点があった。
【０００３】
【特許文献１】実公昭４１−１４０９１号公報
【特許文献２】実開昭５３−６８３３３号公報
【発明の開示】
【発明が解決しようとする課題】
【０００４】
解決しようとする問題点は、前記の如く、ソックスカバーの足底部に縫着部が設けられている場合は、着用時に凸状の縫着部が足裏側に異物様の不快感を与えることになり、着用時は、疲労感を覚え、着用感を低下させる原因となっていた。また足底部と甲部被覆用生地間の隙間が大きくなる場合は、着用時のソックスカバーが不安定で脱げ易くなる恐れがあり、これらの欠点を解決すべき問題が多くみられるのである。
【課題を解決するための手段】
【０００５】
本発明は、爪先部、足底部、側辺部及び踵部を有するソックスカバーにおいて、足底部、側辺部及び踵部を一枚裁断生地で形成し、且つ爪先被覆用生地を爪先側足底部に重合、縫着して爪先部を形成し、更に踵部被覆用生地に緊締部を設けたもので、一枚裁断生地により、足底部に縫い目が無く、また爪先側足底部に爪先被覆用生地を直接被覆、縫着したことにより、爪先部での密着感が向上し、更に踵部に緊締部を設けたことにより、脱げ難くなり、着用感の優れたソックスカバーが得られるようにしたものである。
【発明の効果】
【０００６】
本発明は、足底部、側辺部及び踵部を一枚裁断生地で形成したことにより、足底部に縫目が無く、且つ踵部被覆用生地に緊締部を設けて脱げ難くしたことにより着用時の不快感がなくなると共に、足部の収まり感が良くなり、優れた着用感が得られるようにしたソックスカバーに関する。
【発明を実施するための最良の形態】
【０００７】
本発明は、足底部に縫目が無く、且つ踵部に緊締部を設けて脱げ難くしたソックスカバーで、以下図例に基づいて説明する。図１において、１はレース編地２を介して形成したソックスカバーで、３は爪先部、５は踵部、７は足底部で爪先側足底部７Ａと踵側足底部７Ｂから形成されており、１０は甲部被覆用生地、１２、１２は夫々側辺部、１４は踵部被覆用生地、１５は同生地１４に設けた緊締部である。また図２、図３において、１７は長方形状のレース編地２からなる裁断用生地で、裁断線１８に基づいて裁断し、ソックスカバー用の裁断生地２０が得られるようにしたものである。          
【０００８】
図３において、７Ａは半円形状に形成された爪先側足底部で、別に裁断された甲部被覆用生地１０を同部７Ａ上に被覆、縫着するようにしてあり、２２は爪先側足底部７Ａに連接して設けた長方形状の部位で、同部位２２は側辺部１２、１２及び土踏まずを含む踵側足底部７Ｂから形成されており、更に２５は細幅状の部位で、前記長方形状の部位２２に連接して設けてあり、細幅状の部位２５を介して踵部被覆用生地１４を形成するようにしてある。
【０００９】
図３及び図４において、甲部被覆用生地１０は、別の生地を裁断して得られたもので、同生地１０の半円状周縁部２７を爪先側足底部７Ａの半円状周縁部２８よりも若干大き目に形成してある。また甲部被覆用生地１０と爪先側足底部７Ａの夫々の足底方向の長さが同じで、且つ同生地１０の直線部３０が、爪先側足底部７Ａにおける底片部３２の生地幅よりも若干大き目になるように形成してある。
【００１０】
また、甲部被覆用生地１０と爪先側足底部７Ａは重合縫着３３され、同縫着の際、周知の手段で同生地８をいせ込み（生地寄せ）しながら縫着３３することにより、図４の如く、爪先側足底部７Ａと甲部被覆用生地１０との間に隙間（空間）３５ができて着用時に足先部を爪先側足底部７Ａ側に容易に挿入し易くできるようになっている。また前記隙間をできるだけ少なくすることにより、足部との密着度が高まり、着用感が向上するのである、尚、図３において３６、３６は、側辺部１２、１２用の折曲げ線で、３７は踵部被覆用生地１４の折曲げ線である。
【００１１】
図５において、爪先側足底部７Ａと甲部被覆用生地１０との周面での重合縫着による重合縫着部３３を裏返した状態にしておき、この状態で側辺部１２、１２を夫々折曲げ線３６、３６を介して踵側足底部７Ｂ側に反転、重合し、且つ甲部被覆用生地１０の直線部３２上に側辺部１２、１２の爪先部側端縁部を重合し、甲部被覆用生地１０と側辺部１２、１２の端縁部を重合縫着３８するのである。また踵部被覆用生地１４の上端縁を適宜の長さ分、折り返して縫着５０して同折り返し部５１が踵部被覆用生地１４の裏面側（内面側）に位置するようにしてある。
【００１２】
図６は踵部の形成前の図７は形成後の状態を示し、図６において、側辺部１２、１２の踵部５側における縁部５３、５３の長さに対して踵部被覆用生地１４の縁部５５、５５の長さの方を若干短くなるようにしてあり、この状態で側辺部１２、１２の縁部５３、５３と踵部被覆用生地１４の縁部５５、５５を夫々縫着５７、５７する際、側辺部１２，１２の縁部５３、５３をいせ込みながら、縫着５７、５７することにより、側辺部１２，１２の縁部５３、５３近辺に生地の余裕ができ、踵部５の部位において立体的な膨らみが与えるようにしている。また踵部５の部位に立体的な膨らみが設けられることにより、ソックスカバーを着用時、踵が踵部５内にすっぽり収まり、且つ容易に脱げないようにしてある。
【００１３】
図８は、側辺部１２、１２及び踵部被覆用生地１４を縫着した状態において、ゴム糸等を挿入して編織成された伸縮性細幅生地６０を踵部５の上方位置、即ち踵部被覆用生地１４の折り返し部５１に緊張状態で縫着６２、６２して緊締部１５を形成するようにしてある。これにより、着用したときは、伸縮性細幅生地６０は、図８の如く点線の位置まで伸長され、このことにより、踵部５の位置で踵部被覆用生地１４が確実に踵側に密着して、ソックスカバーが脱げるという恐れが全くなくなり、着用感が向上するのである。
【産業上の利用可能性】
【００１４】
ソックスカバー用の生地としてレース生地以外にメリヤス生地や伸縮性織物地など各種の広範囲の生地を使用することが可能である。
なお、特に、意匠的美観を有するレース様の一枚生地、或いは、比較的伸縮性の乏しい生地を用いての特定の裁断形状とこれの立体縫製により、より高いフィット感と着用間が得られるものである。
【図面の簡単な説明】
【００１５】
【図１】本発明におけるソックスカバーの斜視図である。
【図２】本発明における生地の裁断状態を示す平面図である。
【図３】本発明における生地の裁断状態を示す平面図である。
【図４】本発明における爪先側足底部に甲部被覆用生地を重合、縫着した状態の斜視図である。
【図５】本発明における側辺部の縫着状態を示した平面図である。
【図６】本発明における側辺部と踵部被覆用生地の縫着前の斜視図である。
【図７】本発明における側辺部と踵部被覆用生地の縫着後の斜視図である。
【図８】本発明における踵部被覆用生地に伸縮性細幅生地を縫着した状態の斜視図である。
【符号の説明】
【００１６】
３    爪先部
５    踵部
７    足底部
１０    甲部被覆用生地  
１２    側辺部  
１４    踵部被覆用生地
１５    緊締部
１７    裁断用生地
【図１】
2008297652.tif 000003
【図２】
2008297652.tif 000004
【図３】
2008297652.tif 000005
【図４】
2008297652.tif 000006
【図５】
2008297652.tif 000007
【図６】
2008297652.tif 000008
【図７】
2008297652.tif 000009
【図８】
2008297652.tif 000010